(57)【要約】【課題】暑い夏でも寒い冬でもシートに着座する乳幼児を常に快適な状態に保つことのできるベビー用シートカバーを提供する。【解決手段】下部に股ベルト２０を挿通する切欠部４を有するシートカバー本体５の背もたれ部と後頭部接当部とに、保冷・保温剤が充填された包装体を収納する収納ポケット７，６を設ける。【選択図】          図２
2004305444.tif 000002
【特許請求の範囲】
【請求項１】
ベビー用シートの着座部に取り付けて使用されるベビー用シートカバーであって、下部に股ベルトを挿通する切欠部を有するシートカバー本体の背もたれ部と後頭部接当部とに、保冷・保温剤が充填された包装体を収納する収納ポケットを設けることを特徴とするベビー用シートカバー。
【請求項２】
前記シートカバー本体の所要部に、そのシートカバー本体を前記ベビー用シートに取り付けるための紐が取り付けられる請求項１に記載のベビー用シートカバー。
【請求項３】
前記シートカバー本体は、頭部用カバーと背足部用カバーとに分離できるようにされている請求項１または２に記載のベビー用シートカバー。
【請求項４】
前記ベビー用シートはベビーカーのシートである請求項１〜３のいずれかに記載のベビー用シートカバー。
【請求項５】
前記ベビー用シートはベビー用カーシートである請求項１〜３のいずれかに記載のベビー用シートカバー。
【発明の詳細な説明】
【０００１】
【発明の属する技術分野】
本発明は、ベビーカー、ベビー用カーシート等のベビー用シートの着座部に取り付けて使用されるベビー用シートカバーに関するものである。
【０００２】
【従来の技術】
従来、ベビーカー、ベビー用カーシート、ベビーラック等のベビー用シートとしては、乳幼児が着座した際にその背もたれ部等にクッション性を持たせるために、シート内の中芯にウレタンフォーム等を充填するようにしたものが知られている。
【０００３】
【発明が解決しようとする課題】
しかしながら、前記従来のベビー用シートでは、例えば夏季においてベビーカーに乳幼児を乗せて外出する際に、外気温の上昇に対して乳幼児の体温調節が正常に行われなくなる場合があったり、あるいは体温調節が正常に行われている場合でも、乳幼児の背中や後頭部がシート表面に密着していることにより、その密着部に熱が篭って汗が乾かない場合があって、乳幼児に不快感を与えるとともに、汗疹などの皮膚疾患の原因になるという問題点がある。また、冬季の外出時には、乳幼児が冷気に曝されることによって各種疾患を招く原因になるという問題点がある。
【０００４】
本発明は、このような問題点を解消するためになされたもので、暑い夏でも寒い冬でもシートに着座する乳幼児を常に快適な状態に保つことのできるベビー用シートカバーを提供することを目的とするものである。
【０００５】
【課題を解決するための手段および作用・効果】
前記目的を達成するために、本発明によるベビー用シートカバーは、
ベビー用シートの着座部に取り付けて使用されるベビー用シートカバーであって、下部に股ベルトを挿通する切欠部を有するシートカバー本体の背もたれ部と後頭部接当部とに、保冷・保温剤が充填された包装体を収納する収納ポケットを設けることを特徴とするものである。
【０００６】
本発明によれば、シートカバー本体の背もたれ部と後頭部接当部とに設けられた収納ポケットに保冷・保温剤入りの包装体を収納して、このシートカバー本体をベビー用シートの着座部に取り付けることで、暑い夏には、着座部に座った乳幼児の背中および後頭部が保冷剤によって所定温度に冷され、この部分に熱が篭ったりすることがなく、乳幼児を快適な状態に保つことができる。また、冬季においては保温剤によって保温して防寒することができる。しかも、シートカバー本体の下部には股ベルトを挿通する切欠部が設けられているので、このシートカバー本体のベビー用シートの着座部への位置決めを極めて容易に行うことができる。
【０００７】
本発明において、前記シートカバー本体の所要部に、そのシートカバー本体を前記ベビー用シートに取り付けるための紐が取り付けられるのが好ましい。こうすることで、紐をベビー用シートのハンドル部等に結び付けたり、あるいは両側の紐をそれぞれベビー用シートの側方から後方へ回してそれら紐同士を結び付けることにより、シートカバー本体をベビー用シートに容易に固定することができ、また必要に応じて容易に取り外すことができる。
【０００８】
本発明において、前記シートカバー本体は、頭部用カバーと背足部用カバーとに分離できるようにされているのが好ましい。このようにすれば、背足部用カバーを取り外して頭部用カバーのみを単体として使用することができるので、より利便性が向上する。
【０００９】
本発明において、前記ベビー用シートはベビーカーのシートであっても良いし、あるいはベビー用カーシートであっても良い。
【００１０】
【発明の実施の形態】
次に、本発明によるベビー用シートカバーの具体的な実施の形態について、図面を参照しつつ説明する。
【００１１】
図１には、本発明の第１の実施形態に係るベビー用シートカバーの正面図（ａ）とそのＡ−Ａ断面図（ｂ）が示されている。
【００１２】
本実施形態のベビー用シートカバー１は、上部両側部に耳部２，３を有するとともに、下端部中央に略逆Ｖ字状の切欠部４を有する全体として縦長形状のシートカバー本体５と、このシートカバー本体５の上部と略中央部とにそれぞれ設けられる収納ポケット６，７を備えて構成されている。
【００１３】
前記シートカバー本体５は、所要形状に裁断された布地よりなる表地８と裏地９との間にウレタンフォームよりなる中芯１０を挟み込み、これら表地８、裏地９および中芯１０の外縁部の合わせ部に袋状の当て布１１を当て、この当て布１１の箇所で縫製されて形成されている。ここで、前記シートカバー本体５の裏地９にはコットンが用いられ、表裏がリバーシブルで使用できるようにされている。また、中芯１０にウレタンフォームが用いられることにより所要のクッション性が付与されている。なお、前記裏地９には天然抗菌防臭効果があるキチン・キトサン生地を使用している。
【００１４】
前記収納ポケット６，７は、シートカバー本体５の表地８と同じ布地よりなる表地８の裏面側にウレタンフォームを合わせ、その外縁部の合わせ部に袋状の当て布１１を当てて縫製して袋布６ａ，７ａを形成し、この袋布６ａ，７ａを上部が開口するようにシートカバー本体５の表地８および中芯１０にそれぞれ縫製して形成されている。そして、これら収納ポケット６，７の開口部には、袋布６ａ，７ａの裏面側とシートカバー本体５の表地８側とにマジックテープ（登録商標）１２が取り付けられ、この開口部を容易に開閉できるようにされている。
【００１５】
また、前記シートカバー本体５には、その上縁の中央部２箇所と、左右の耳部２，３の下端部と、切欠部４の下部２箇所にはそれぞれ所要長さの紐１３，１４，１５が左右対称に取り付けられている。これら紐１３，１４，１５は前記当て布１１と同様の素材を用いて作製される。
【００１６】
このように構成されているベビー用シートカバー１は、その収納ポケット６，７に、樹脂シートを袋状に加工したものにジェル状の保冷・保温剤が充填された包装体（保冷・保温パック）１６を収納して使用される。この保冷・保温剤は、保冷剤として用いる場合には、家庭用冷凍庫内で数時間冷やした後、少し放置して柔らかくなってから使用に供される。また、保温剤として用いる場合には、電子レンジで数分間加熱して温めた後に使用される。
【００１７】
このベビー用シートカバー１は、図２に示されるように、ベビーカー１７の着座部１８に沿わせて置き、上部の紐１３，１３をそのベビーカー１７のハンドル１９に巻き付けた後に相互に結び付けるとともに、側部の紐１４，１４を着座部１８の両側方から後方へ回してその着座部１８の背面で相互に結び付け、さらに下部の紐１５，１５を股ベルト２０に結び付けてしっかりと固定する。
【００１８】
このようにしてベビー用シートカバー１をセットした状態では、シートカバー本体５の耳部２，３がベビーカー１７における着座部１８の両側の立上がり部に沿うように折れ曲がり、かつシートカバー本体５の切欠部４に股ベルト２０が挿入されて、ベビーカー１７の着座部１８に確実に位置決めされる。この状態で、乳幼児を着座部１８に乗せると、この着座部１８に座った乳幼児の背中が収納ポケット７に対向し、また乳幼児の後頭部が収納ポケット６に対向することになる。
【００１９】
こうして、夏場の外出時にベビーカー１７に乗る乳幼児の後頭部および背中はそれぞれ、収納ポケット６，７に収納されている保冷剤によって所定温度に冷されるので、この部分に熱が篭ったりすることがなく、乳幼児を快適な状態に保つことができる。また、冬場においては保温剤により保温されて防寒することができる。
【００２０】
次に、ベビー用カーシート（いわゆるチャイルドシート）に適用された本発明の第２の実施形態について説明する。図３には、この第２の実施形態に係るベビー用シートカバーの正面図が示され、図４には、このベビー用シートカバーをベビー用カーシートに装着した状態の斜視図が示されている。本実施形態において、第１の実施形態と共通する部分には図に同一符号を付すに留めてその詳細な説明を省略することとする。
【００２１】
本実施形態のベビー用シートカバー２１は、矩形状の頭部カバー２２と、下端部中央に略逆Ｖ字状の切欠部４を有する背足部カバー２３とよりなり、頭部カバー２２と背足部カバー２３のそれぞれに収納ポケット６，７が設けられて構成されている。ここで、前記背足部カバー２３の上部には連結部２４がその背足部カバー２３に縫製により一体形成され、この連結部２４の上部表面と頭部カバー２２の下部裏面とがホック等の係合具２５により着脱できるようにされている。
【００２２】
また、紐１３，１４，１５は、頭部カバー２２の上縁の中央部２箇所と、下縁の中央部２箇所と、切欠部４の下部２箇所にそれぞれ取り付けられている。
【００２３】
このベビー用シートカバー２１は、図４に示されるように、ベビー用カーシート２６の着座部２７に沿わせて置き、上部の紐１３，１３を着座部２７の上部から後方へ回すとともに、側部の紐１４，１４を肩ベルト通し穴２８に通し、これら各紐１３，１４の先端同士を結び付け、さらに下部の紐１５，１５を股ベルト２９に結び付けてしっかりと固定する。
【００２４】
このようにしてベビー用シートカバー２１をセットした状態では、頭部カバー２５および背足部カバー２３がベビー用カーシート２６の着座部２７に沿うように配置され、かつ背足部カバー２３の切欠部４に股ベルト２９が挿入されて、ベビー用カーシート２６の着座部２７に確実に位置決めされる。この状態で、乳幼児を着座部２７に乗せると、この着座部２７に座った乳幼児の背中が収納ポケット７に対向し、また乳幼児の後頭部が収納ポケット６に対向することになる。
【００２５】
こうして、前記第１の実施形態と同様、夏場においてベビー用カーシート２６に座った乳幼児の後頭部および背中はそれぞれ、収納ポケット６，７に収納されている保冷剤によって所定温度に冷される。また、冬場においては保温剤によって保温されて防寒することができる。なお、本実施形態においては、必要に応じて頭部カバー２２を背足部カバー２３から取り外すこともできるので、頭部または背部のみの保冷・保温にも使用することができる。
【００２６】
前記実施形態ではベビーカー用のシートもしくはベビー用カーシートに適用したものについて説明したが、本発明は、これ以外にベビーラック等に対しても適用することができる。
【図面の簡単な説明】
【図１】図１は、本発明の第１の実施形態に係るベビー用シートカバーの正面図（ａ）とそのＡ−Ａ断面図（ｂ）である。
【図２】図２は、第１の実施形態のベビー用シートカバーをベビーカーに装着した状態の斜視図である。
【図３】図３は、本発明の第２の実施形態に係るベビー用シートカバーの正面図である。
【図４】図４は、第２の実施形態のベビー用シートカバーをベビー用カーシートに装着した状態の斜視図である。
【符号の説明】
１，２１          ベビー用シートカバー
４                切欠部
５                シートカバー本体
６，７            収納ポケット
１３，１４，１５  紐
１６              包装体（保冷・保温パック）
１７              ベビーカー
１８，２７        着座部
２０，２９        股ベルト
２２              頭部カバー
２３              背足部カバー
２５              係合具
２６              ベビー用カーシート
【図１】
2004305444.tif 000003
【図２】
2004305444.tif 000004
【図３】
2004305444.tif 000005
【図４】
2004305444.tif 000006